(57)【要約】【課題】吸い込み口から吸い込んだ居室内の空気に含まれている埃などが吸い込まれても制御手段に付着せず動作不良を低減することができることを目的とする。【解決手段】制御手段を空気吸い込み口１３から空気吹き出し口１５まで送風手段で送風される連通した本体１内風路外の本体１外郭の上方に設けるという構成にしたことにより、送風手段から吹き出される埃などが含まれた空気は本体１内風路を流れるので、空気吸い込み口１３から吸い込んだ居室１１内の空気に含まれている埃などが吸い込まれても制御手段に付着せず動作不良が低減することができる加温加湿装置を得られる。【選択図】図１
2015055364.tif 000002
【特許請求の範囲】
【請求項１】
空気を送風する送風手段と、前記送風手段によりキッチンやリビングなどの居室内の空気を吸い込む吸い込み口と、前記吸い込み口と前記送風手段間に吸い込んだ空気の埃を取り除く空気フィルターと、前記送風手段から送風された空気を加温する加温手段と、前記加温手段で加温された空気を加湿する加湿手段と、加温加湿された空気をキッチンやリビングなどの居室空間に吹き出す吹き出し口と前記送風手段と前記加温手段と前記加湿手段を制御する制御手段とを備えた本体をシステムキッチンの内部に設けたものであって、前記制御手段を前記吸い込み口から前記吹き出し口まで前記送風手段で送風される連通した本体内風路外の本体外郭の上方に設けることを特徴とする加温加湿装置。
【請求項２】
制御手段は、電気的や機械的に保護できる制御手段保護構造内に配置され、前記制御手段保護構造は制御手段の充電部より下方のみに開口を設けることを特徴とする請求項１記載の加温加湿装置。
【請求項３】
制御手段の充電部より下方に、制御配線などを通す制御ケースの開口部が設けることを特徴とする請求項２記載の加温加湿装置。
【発明の詳細な説明】
【技術分野】
【０００１】
本発明は、加温加湿装置を設置しても居室のスペースを占有せず、使用の都度、用意する必要の無い加温加湿装置に関するものである。
【背景技術】
【０００２】
従来より、冬場における居室環境の温度による快適性を向上させる手段として、例えば居室に置いて使用する石油ストーブやファンヒーター、居室の壁に据付設置して使用するパッケージエアコン、居室の天井裏空間に隠蔽設置し、送風ダクトを介して居室に温風を供給する空調システム、温水循環型熱源機と接続して居室を自然対流で暖めるセントラルヒーティングシステムといった様々な暖房機器が用いられている。
【０００３】
上記の暖房機器が導入された居室において、さらに快適性を向上させる手段として、居室環境の湿度による快適性を整えることが重要となる。生活環境において、一般的に快適とされる湿度は相対湿度４０〜６０％とされているが、前に上げた暖房システムは居室の温度のみを上げるもので、温度による快適性は確保できても、相対湿度が低くなるため湿度による快適性は確保できない。そこで、湿度による快適性を確保したいユーザーは、居室内に加湿装置を準備し、暖房を行う際に加湿装置で加湿も行うことになる。加湿装置としては、例えば、水を加熱して蒸気を発生させる方式、加湿用フィルタに水を浸透させファンで送風して気化させる方式、超音波による振動で水滴を放出する方式、ノズル等を用いて水を直接噴霧する方式等、様々な方法が提案され、どれも一般的に普及している。
【０００４】
上記の加湿装置に共通する特徴として、ユーザーが加湿装置を加湿したい居室に持ち込み、着脱可能に設けられている貯水タンクに水道の水等を給水し加湿装置に取り付けた後、加湿装置を運転することで貯水タンク内の水が徐々に消費されていき、貯水タンク内の水がなくなったときに水を補充することとなっている。
【０００５】
この方式の場合、その都度加湿装置を用意するのは手間であり、また、居室に置いて使用することとなるため居室のスペースを占有してしまう課題がある。
【０００６】
上記の課題に対応するため、加温加湿装置として、箱型の本体を床下空間に設置して、加湿が必要な場合は、別途、水が入る容器を本体内部に取り付けて加湿手段をその容器の内部に取り付け、容器には給水弁で水を供給するものが提案されている（例えば、特許文献１参照）。
【０００７】
以下、その加温加湿装置について図３を参照しながら説明する。
【０００８】
内部にクロスフローファン１０２とファンモータ１０３と熱交換器１０４が一体となった箱型の本体１０１において、特に熱交換器１０４の銅管内部を送風路１０５とし、銅管表面を温水流路１０６とし、さらに空気吸い込み口１０７を温水流路１０６の外側に配置させたことを特徴とした本体１０１を床下空間に設置して、熱交換器１０４で熱交換された空気は空気吹き出し口１０８から出る。空気吹き出し口１０８と床下空間に敷設されたダクトを接続して居室の床吹き出し口から居室に送風し、居室からの空気は居室の床吸い込み口からダクトを介さずに本体１０１に吸い込まれ、加湿が必要な場合は、別途、水が入る容器を空気吹き出し口１０８近傍に取り付けて加湿手段をその容器の内部に取り付け、容器には給水弁で水を供給しているものがある。
【０００９】
これによると、冬場においては熱交換器１０４を通して暖められた空気が居室に供給され、加湿を行う際は、空気吹き出し口１０８近傍に加湿手段と水が入る容器を取り付けることで自動的に加湿運転を行うことができる。
【００１０】
長期に渡って運転を停止した場合、容器の内部には水が残ったままになるため、ユーザーはその都度床下空間に設置された本体１０１のメンテナンスを行い、容器に残った水を捨てることになる。また、熱交換器１０４の銅管内部を送風路１０５とし、銅管表面を温水流路１０６とした構造上、熱交換器１０４近傍の送風路１０５にメンテナンスが容易なフィルタを設けることができない、送風抵抗が大きく風量を確保するためには高出力が必要で運転騒音が大きくなる等、様々な実用上の課題があった。
【先行技術文献】
【特許文献】
【００１１】
【特許文献１】特開２００６−１０２９５号公報
【発明の概要】
【発明が解決しようとする課題】
【００１２】
このような従来の加温加湿装置においては、冬場において居室内を暖房すると湿度が低下し湿度を上げようとすると別途加湿装置が必要となるが、その都度加湿装置を用意するのは手間であり、また、居室内のスペースの多くを占有してしまうので、容易に居室内に設置でき居室内のスペースの減少を抑えることができる加湿装置が要望され、システムキッチン内に加湿装置を設けることが考案されているが、加湿装置で使用する水、キッチンからの水および、加湿装置の吸い込み口から吸い込んだ居室内の空気に含まれている埃などが制御手段に付着して動作不良が発生する恐れがあるという課題を有していた。
【００１３】
そこで本発明は、上記従来の課題を解決するものであり、吸い込み口から吸い込んだ居室内の空気に含まれている埃などが吸い込まれても制御手段に付着せず動作不良を低減することができる加温加湿装置を提供することを目的とする。
【課題を解決するための手段】
【００１４】
そして、この目的を達成するために、本発明は、空気を送風する送風手段と、前記送風手段によりキッチンやリビングなどの居室内の空気を吸い込む吸い込み口と、前記吸い込み口と前記送風手段間に吸い込んだ空気の埃を取り除く空気フィルターと、前記送風手段から送風された空気を加温する加温手段と、前記加温手段で加温された空気を加湿する加湿手段と、加温加湿された空気をキッチンやリビングなどの居室空間に吹き出す吹き出し口と前記送風手段と前記加温手段と前記加湿手段を制御する制御手段とを備えた本体をシステムキッチンの内部に設けたものであって、前記制御手段を前記吸い込み口から前記吹き出し口まで前記送風手段で送風される連通した本体内風路外の本体外郭の上方に設けることとしたものであり、これにより所期の目的を達成するものである。
【発明の効果】
【００１５】
本発明によれば、空気を送風する送風手段と、前記送風手段によりキッチンやリビングなどの居室内の空気を吸い込む吸い込み口と、前記吸い込み口と前記送風手段間に吸い込んだ空気の埃を取り除く空気フィルターと、前記送風手段から送風された空気を加温する加温手段と、前記加温手段で加温された空気を加湿する加湿手段と、加温加湿された空気をキッチンやリビングなどの居室空間に吹き出す吹き出し口と前記送風手段と前記加温手段と前記加湿手段を制御する制御手段とを備えた本体をシステムキッチンの内部に設けたものであって、前記制御手段を前記吸い込み口から前記吹き出し口まで前記送風手段で送風される連通した本体内風路外の本体外郭の上方に設けるという構成にしたことにより、送風手段から吹き出される埃などが含まれた空気は本体内風路を流れることとなるので、吸い込み口から吸い込んだ居室内の空気に含まれている埃などが吸い込まれても制御手段に付着せず動作不良が低減することができるという効果を得ることができる。
【図面の簡単な説明】
【００１６】
【図１】本発明の実施の形態１の加温加湿装置の内部構成を示す構成図
【図２】同加温加湿装置の電装ユニットボックス部を示す構成図
【図３】従来の加温加湿装置の内部を示す構成図
【発明を実施するための形態】
【００１７】
本発明の請求項１記載の加温加湿装置は、空気を送風する送風手段と、前記送風手段によりキッチンやリビングなどの居室内の空気を吸い込む吸い込み口と、前記吸い込み口と前記送風手段間に吸い込んだ空気の埃を取り除く空気フィルターと、前記送風手段から送風された空気を加温する加温手段と、前記加温手段で加温された空気を加湿する加湿手段と、加温加湿された空気をキッチンやリビングなどの居室空間に吹き出す吹き出し口と前記送風手段と前記加温手段と前記加湿手段を制御する制御手段とを備えた本体をシステムキッチンの内部に設けたものであって、前記制御手段を前記吸い込み口から前記吹き出し口まで前記送風手段で送風される連通した本体内風路外の本体外郭の上方に設けるという構成を有する。
【００１８】
これにより、送風手段から吹き出される埃などが含まれた空気は本体内風路を流れることとなるので、吸い込み口から吸い込んだ居室内の空気に含まれている埃などが吸い込まれても制御手段に付着せず動作不良が低減することができるという効果を奏する。
【００１９】
また、制御手段は、電気的や機械的に保護できる制御手段保護構造内に配置され、前記制御手段保護構造は制御手段の充電部より下方のみに開口を設けるという構成にしてもよい。
【００２０】
これにより、上方からの水滴は制御手段保護構造の外面に接して外面に沿って下方に流れていくので、上方からの水滴が制御手段に付着せず制御手段に付着せず動作不良が低減することができるという効果を奏する。
【００２１】
また、制御手段の充電部より下方に、制御配線などを通す制御ケースの開口部が設けるという構成にしてもよい。
【００２２】
これにより、制御配線を伝わって流れてくる水滴を制御配線の最下点で水切りするので、制御配線を伝わって流れてくる水滴を制御手段に到達させないようにでき制御手段に付着せず動作不良が低減することができるという効果を奏する。
【００２３】
以下、本発明の実施の形態について図面を参照しながら説明する。
【００２４】
（実施の形態１）
図１に示すように、方形状の本体１は風路を兼ねたフレーム２の内部に、送風手段として風量をかせげるシロッコファン３およびＡＣあるいはＤＣのファンモータ４を備え、加温手段として温水循環型熱源機（図示せず）に接続される熱交換器５とを備え、加湿手段として加湿の効率が良いとされている加湿素子が格子状に編みこまれた加湿フィルター６を備える。
【００２５】
そして、加湿フィルター６に吸水を行わせる手段として、熱交換器５と加湿フィルター６との下方に例えばコストが安くかつ耐薬性である樹脂製（ＰＰ）で加湿水の貯水プールの役割と吸い込み空気と吹き出し空気が混ざらない役割を兼ねる仕切板７とを備え、給水手段として上水配管（図示せず）に接続される給水配管８と一般的に使用されているパイロット式電磁弁である給水弁９を備え、給水弁９を駆動することで上水である加湿水を仕切板７に注ぎ、仕切板７の加湿水を吸い上げるように取り付けられた加湿フィルター６に加湿水を毛細管現象で吸い上げさせる。
【００２６】
そして、制御ユニット１０からの運転命令が出されると、ファンモータ４が駆動しシロッコファン３が回転し、本体１の一側面例えば居室１１に面した側面に設けた意匠パネル１２に、床の近傍側に開口された空気吸い込み口１３からメッシュ状の吸い込み空気フィルター１４を通して居室１１の空気を吸い込み、熱交換器５の方向に押し出される。
【００２７】
熱交換器５は銅管と放熱用アルミフィンから構成されており、銅管の内部に温水が通り、温水の熱エネルギーが銅管と接する放熱用アルミフィンに伝達される仕組みである。この放熱用アルミフィンに送風することで居室１１の空気と温水循環型熱源機から供給される温水との間で熱交換を行い、吸い込み空気の温度を上げている。熱交換器５の銅管内部に通水される温水は温水循環型熱源機から温水が供給されている。
【００２８】
そして、熱交換器５を通った後の空気は熱エネルギーを受け取ることで温度が上がっており、この空気を加湿フィルター６に通すことで、加湿フィルター６に吸水されていた加湿水を加温前の空気に対して効率良く気化させて加湿空気とすることができる。
【００２９】
加湿フィルター６を通った空気は気化した水分を含んでいるために湿度が上がっており、この加湿空気を意匠パネル１２の開口された空気吹き出し口１５から居室１１に吹き出され、居室１１の空気調和を図っている。
【００３０】
本実施の形態で説明する加温加湿装置には、空気吸い込み口１３から空気吹き出し口１５まで送風手段で送風される連通した本体１内の風路外のフレーム２の外郭上方にファンモータ４や給水弁９などの駆動を制御する制御手段としての制御ユニット１０を例えばねじ止めで固定している。
【００３１】
これにより、空気吸い込み口１３から吸い込んだ居室１１内の空気に含まれている埃は、メッシュ形状の吸い込み空気フィルター１４で多くは除去されるが、吸い込み空気フィルター１４で除去されなかった埃を含んだ空気は送風手段であるシロッコファン３で送風される連通した本体１内の風路を流れるのみであり、居室１１内の空気に含まれている埃が制御ユニット１０に付着せず埃による動作不良を低減することができる。
【００３２】
また、図２に示すように、送風手段で送風される連通した本体１内の風路外に配置する制御ユニット１０は、電気的や機械的に保護できる例えばＡＢＳ樹脂の制御ユニットボックス１６の内部に配置し、制御ユニットボックス１６の開口部は、制御ユニット１０の充電部より下方のみに設ける。
【００３３】
これにより、給水配管８から給水された水の漏水や本体１外からの水などが制御ユニット１０の上方から水滴滴下などにより流れてきた場合においても、上方からの水滴は制御ユニットボックス１６の外郭面に沿って下方へ流れていき、制御ユニット１０には水滴は付着せず動作不良を低減することができる。
【００３４】
なお、制御ユニットボックス１６は、本体１の外郭構造物で構成しても、開口部は制御ユニット１０の充電部より下方のみに設けることで同様の効果を得ることができる。
【００３５】
また、制御ユニット１０がファンモータ４や給水弁９などを制御するための制御配線１７は、制御ユニット１０の充電部より下方に設けられた制御ユニットボックス１６の開口部より通すようにする。
【００３６】
これにより、給水配管８から給水された水の漏水や本体１外からの水などが、制御配線１７を伝わって流れてきた場合においても、制御配線１７の最下点で制御配線１７を伝わって流れてきた水は水切りされ、制御ユニット１０の充電部には水滴は到達しないようにでき、制御ユニット１０には水滴は付着せず動作不良を低減することができる。
【産業上の利用可能性】
【００３７】
本発明にかかる加温加湿装置は、居室のスペースを占有せず、使用の都度、用意する必要の無い加温加湿装置を可能とするものであるので、居室据付用の加湿空気清浄機等として有用である。
【符号の説明】
【００３８】
１    本体
２    フレーム
３    シロッコファン
４    ファンモータ
５    熱交換器
６    加湿フィルター
７    仕切板
８    給水配管
９    給水弁
１０  制御ユニット
１１  居室
１２  意匠パネル
１３  空気吸い込み口
１４  吸い込み空気フィルター
１５  空気吹き出し口
１６  制御ユニットボックス
１７  制御配線
【図１】
2015055364.tif 000003
【図２】
2015055364.tif 000004
【図３】
2015055364.tif 000005